(57)【要約】【課題】手間のかかる厄介な作業を伴うことなく補強用のパーツを付設でき、価格競争にも耐え得るレスキュー用の手袋の製造方法等を提供することを目的とする。【解決手段】手袋の掌側のパーツと手の甲側のパーツを縫合して手袋の形態にしたレスキュー用の手袋の製造方法であって、前記手袋の掌側のパーツと手の甲側のパーツの縫合部分が手袋の小指部分側の側面に位置しないようにこれら手袋の掌側のパーツと手の甲側のパーツを形成し、次に、前記パーツのうちの前記手袋の小指部分側の側面部位に、該パーツがシート状の状態で補強用のパーツを縫着し、次に、前記手袋の掌側のパーツと手の甲側のパーツとを縫合する。【選択図】図３
2013234393.tif 000002
【特許請求の範囲】
【請求項１】
手袋の掌側のパーツと手の甲側のパーツを縫合して手袋の形態にしたレスキュー用の手袋の製造方法であって、
前記手袋の掌側のパーツと手の甲側のパーツの縫合部分が手袋の小指部分側の側面に位置しないようにこれら手袋の掌側のパーツと手の甲側のパーツを形成し、次に、前記パーツのうちの前記手袋の小指部分側の側面部位に、該パーツがシート状の状態で補強用のパーツを縫着し、次に、前記手袋の掌側のパーツと手の甲側のパーツとを縫合することを特徴とする、レスキュー用の手袋の製造方法。
【請求項２】
手袋の掌側のパーツと手の甲側のパーツを縫合して手袋の形態にしたレスキュー用の手袋であって、
前記手袋の掌側のパーツと手の甲側のパーツの縫合部分が手袋の小指部分側の側面に位置しないようにこれら手袋の掌側のパーツと手の甲側のパーツを形成し、前記パーツのうちの前記手袋の小指部分側の側面部位に、該パーツがシート状の状態で補強用のパーツを縫着して後、前記手袋の掌側のパーツと手の甲側のパーツとを縫合してなるレスキュー用の手袋。
【請求項３】
前記手袋の掌側のパーツと手の甲側のパーツの縫合部分が手袋の手の甲側の小指部分と薬指部分との間に指長手方向に沿って形成されていることを特徴とする請求項２記載のレスキュー用の手袋。
【請求項４】
前記手袋の掌側のパーツと手の甲側のパーツが１枚のシートから構成され、且つかかるシートが本革製のものであることを特徴とする請求項３記載のレスキュー用の手袋。
【発明の詳細な説明】
【技術分野】
【０００１】
この発明は、「ほふく（匍匐）前進」等をおこなうことがある、消防あるいは自衛隊等のレスキュー隊員あるいは自衛隊員等（この明細書および特許請求の範囲において、レスキュー隊員という）が使用するのに好適な手袋（この明細書および特許請求の範囲において、レスキュー用の手袋ともいう）の製造方法と手袋に関する。
【背景技術】
【０００２】
レスキュー隊員は、災害現場等において、崩壊した建屋等の高さ的に低い空間に進入して、被災者等を救出することが多々ある。
このような場合、レスキュー隊員は、所謂「ほふく前進」して、低い姿勢を保ちつつ目的の位置まで進入することになるが、その場合の手は、拳状に握った状態で小指側の手の側面を床面に当接させて、足の伸縮動作と調和させて左右の手を片方づつ前方に動かすことによって、前方に体を移動させて進んでゆく。
このような状態では、手袋の床面と当接している部位が、磨耗したり破損したりしてしまう。
【０００３】
そのため、前記レスキュー用の手袋の場合には、手袋の小指側の側部には、補強用のパーツとして、補強用の革や、耐摩耗性に優れたアラミド繊維や炭素繊維からなる布材に樹脂等を含浸させた素材等を、前記側部の表面に付設するようなことがおこなわれている。
この種のレスキュー用の手袋として、特許文献１等がある。
【先行技術文献】
【特許文献】
【０００４】
【特許文献１】実用新案登録第３０４７７４１号公報
【発明の概要】
【発明が解決しようとする課題】
【０００５】
しかしながら、前述したような手袋の場合、小指側の手袋の側部に、該手袋の掌側のパーツと手の甲側のパーツとの縫合部位が位置するため、前記補強用のパーツを付設しようとすると、前記掌側のパーツと手の甲側のパーツを縫合して手袋の形態に縫製した後に、付設する必要がある。
前記付設は一般に縫合によっておこなわれるため、手袋のリング状になった部位に補強用のパーツを縫合することになり、特殊なミシンを使用した甚だ厄介な且つ手間のかかる作業となる。
その一方において、人件費等が安い諸外国から安価な種々の手袋が輸入されているため、前記厄介な且つ手間のかかる作業を伴う手袋であっても、価格競争を避けることができない状況下にある。つまり、手袋のメーカも、我が国の他の分野のメーカと同じ状況に置かれているのが現状である。
本発明はこのような状況に鑑みておこなわれたもので、前述のような手間のかかる且つ厄介な作業を伴うことなく補強用のパーツを付設することができ、価格競争にも耐え得る構成を具備したレスキュー用の手袋の製造方法と当該手袋を提供することを目的とする。
【課題を解決するための手段】
【０００６】
本発明にかかるレスキュー用の手袋の製造方法は、手袋の掌側のパーツと手の甲側のパーツを縫合して手袋の形態にしたレスキュー用の手袋の製造方法であって、
前記手袋の掌側のパーツと手の甲側のパーツの縫合部分が手袋の小指部分側の側面に位置しないようにこれら手袋の掌側のパーツと手の甲側のパーツを形成し、次に、前記パーツのうちの前記手袋の小指部分側の側面部位に、該パーツがシート状の状態で補強用のパーツを縫着し、次に、前記手袋の掌側のパーツと手の甲側のパーツとを縫合することを特徴とする。
【０００７】
また、本発明にかかるレスキュー用の手袋は、手袋の掌側のパーツと手の甲側のパーツを縫合して手袋の形態にしたレスキュー用の手袋であって、
前記手袋の掌側のパーツと手の甲側のパーツの縫合部分が手袋の小指部分側の側面に位置しないようにこれら手袋の掌側のパーツと手の甲側のパーツを形成し、前記パーツのうちの前記手袋の小指部分側の側面部位に、該パーツがシート状の状態で補強用のパーツを縫着して後、前記手袋の掌側のパーツと手の甲側のパーツとを縫合したことを特徴とする。
【０００８】
前述のように構成されたレスキュー用の手袋の製造方法および該レスキュー用の手袋によると、前記手袋の掌側のパーツと手の甲側のパーツのいずれかに、それがシート状の状態において、補強用のパーツを縫着することができるため、通常のミシンを使用して、単にそれらを重ねた状態で簡単に且つ迅速に縫着することができる。
このため、従来の補強用のパーツを付設したレスキュー用手袋に比べて、極めて効率的に製造することができ、しかも熟練者でなくとも簡単に且つ迅速に製造できるため、従来のものに比べて安価に提供することが可能となり、我が国で製造しても、人件費の安価な諸外国からの輸入にかかる手袋に対抗することができる。
【０００９】
前記レスキュー用の手袋において、前記手袋の掌側のパーツと手の甲側のパーツの縫合部分が手袋の手の甲側の小指部分と薬指部分との間に指長手方向に沿って形成されていると、小指の先端から手首部分まで縫製していた「従来の手袋」に比べて、前記縫合部分の長さを短くすることができ、より製造効率の高い手袋を実現できる。また、ほふく前進する際にも、床面と手との間に補強用のパーツが位置し、しかも縫製部分が床との当接部分に位置しないため、十分な耐久力を備えるとともに、手の部分に違和感を覚えたり皮膚を損傷するようなこともない。
【００１０】
前記レスキュー用の手袋において、前記手袋の掌側のパーツと手の甲側のパーツが１枚のシートから構成され、且つかかるシートが本革製のものであると、手袋の縫製部位が極端に少なくなることから、縫製が簡単で且つ迅速におこなえ、しかも縫製箇所が少ないことからはき心地の良い、レスキュー用の手袋として好ましい手袋を実現することができる。また、シートが本革製のものであると、手に良くなじむ点で好ましい。
【発明の効果】
【００１１】
本発明にかかるレスキュー用の手袋の製造方法とレスキュー用の手袋によると、従来のレスキュー用の手袋のような手間のかかる且つ厄介な作業を伴うことなく補強用のパーツを付設することができる。
【００１２】
この結果、非熟練者であっても、且つ特殊なミシンを使用することなく、簡単に且つ迅速に縫製できるため、従来に比べて製造原価を大きく低減することができる。
【図面の簡単な説明】
【００１３】
【図１】本発明の実施例にかかるレスキュー用の手袋の構成を示す手袋の斜視図である。
【図２】図１に示す手袋の各パーツを示す図である。
【図３】図１に示す手袋を手の甲側から見た図である。
【図４】図１に示す手袋を掌側から見た図である。
【発明を実施するための形態】
【００１４】
（実施例）
以下、本発明の実施例にかかるレスキュー用の手袋の製造方法と該方法により製造されたレスキュー用の手袋を、図面を参照しながら具体的に説明する。
【００１５】
図１において、Ａはレスキュー用の手袋で、かかる手袋Ａは、図２に図示する、各パーツを縫合することによって、手袋の形態に形成されている。
つまり、本手袋Ａは、１枚の本革シート１で構成された親指部分がカットされている手袋の掌側のパーツ１Ａと手の甲側のパーツ１Ｂと、別のシートからなる、親指部分のパーツ１Ｃと、さらにこの実施例では、人指し指部分の中指側の側部のパーツ１Ｄと、中指部分の人指し指側と薬指側の各側部のパーツ１Ｅ，１Ｆと、薬指部分の中指側と小指側の各側部のパーツ１Ｇ，１Ｈと、小指部分の薬指側の側部のパーツ１Ｊと、補強用のパーツ１Ｋとを有する。さらに、この手袋Ａは、手首部分のリストバンド１Ｌと、フレア部分１ｍと弾性バンド１ｎからなるスカート部１Ｍとを有する。
前記パーツ１Ｃ乃至１Ｊは、素材的には、本革が使用されている。
そして、前記補強用のパーツ１Ｋとしては、この実施例では厚みのある本革あるいはその表面にアラミド繊維からなる布が積層されたものが使用されているが、その他材質的には使用目的に合わせて種々考えられる。  例えば、アラミド繊維や炭素繊維からなる布、あるいはこれらの布に樹脂を含浸させたもの、又はこれらを１つの層に配置した多層状にしたものを使用することなどが考えられる。
【００１６】
ところで、この手袋Ａの製造工程としては、前記本革シート１がシート状の状態において、手袋Ａの小指部分側の側面部位から掌の中央部位にかけての部位に、前記補強用のパーツ１Ｋが縫着される（図１，図３，図４参照）。かかる縫着は、前記本革シート１と補強用のパーツ１Ｋが共にシート状の状態で重ねられた状態でおこなわれるため、通常のミシンを使用して、熟練者でなくとも、容易に且つ迅速に縫着することができる。
【００１７】
そして、前記縫着が終了すると、あるいはその前に、各指部分の側部のパーツの基端部１ｂ同士を縫合する。つまり、前記人指し指部分の中指側の側部のパーツ１Ｄの基端部１ｂと前記中指部分の人指し指側のパーツ１Ｅの基端部１ｂとを縫合する。また、前記中指部分の薬指側の側部のパーツ１Ｆの基端部１ｂと前記薬指部分の中指側の側部のパーツ１Ｇの基端部１ｂとを縫合する。さらに、前記薬指部分の小指側の側部のパーツ１Ｈの基端部１ｂと前記小指部分の薬指側の側部のパーツ１Ｊの基端部１ｂとを縫合する。
そして、次に、前記各指部分の側部のパーツの基端部１ｂ同士の縫合が終了すると、これら縫合したものを対応する手の甲側の各指部分に縫着し、かかる縫合に際して、各パーツの各指部分の側部の先端同士を縫合する。
しかし、これに代えて、前記各側部のパーツを直接対応する指部分の側部にそれぞれ縫着してもよい。つまり、前記人指し指部分の中指側の側部のパーツ１Ｄを手の甲側のパーツ１Ｂの人指し指部分の側部に、且つ、前記中指部分の人指し指側と薬指側の各側部のパーツ１Ｅ，１Ｆを手の甲側のパーツ１Ｂの中指部分の側部に、且つ、前記薬指部分の中指側と小指側の各側部のパーツ１Ｇ，１Ｈを手の甲側のパーツ１Ｂの薬指部分の側部に、さらに、前記小指部分の薬指側の側部のパーツ１Ｊを手の甲側のパーツ１Ｂの小指部分に、それぞれ縫着する。また、前記縫着によって隣接した、前記パーツ１Ｄと１Ｅ、前記パーツ１Ｆと１Ｇ、 前記パーツ１Ｈと１Ｊの先端部分と付け根部分同士を縫合してもよい。
前記各指部分の側部のパーツ同士あるいは各指部分への縫着は、縫着部分のみ左右から重ねた状態で、所謂「重ね縫い」の形態でおこなわれる。このため、縫合部分では、嵩張ることがなく、はき心地の良い手袋Ａとなる。
【００１８】
また、次に、あるいは前記各縫製に先立って、前記本革シート１のカットされた開口部分１ｄ（図２参照）に、前記親指部分のパーツ１Ｃを縫着する。かかる縫着も、縫着部分のみ左右から重ねた状態で、所謂「重ね縫い」の形態でおこなわれる。このため、縫合部分では、嵩張ることがなく、はき心地の良い手袋Ａとなる。
【００１９】
また、次に、あるいは前記各縫製に先立って、前記本革シート１の手首部分の一端（下端）に、図２に示す、前記スカート部１Ｍの弾性バンド１ｎと、リストバンド１Ｌとを縫着する。また、前記スカート部１Ｍのフレア部分（水かき部分ともいう）１ｍを、前記本革シート１の一端の下端部１ｆに縫着する。
【００２０】
しかる後に、手袋Ａの裏側の面が表になるような状態で、前記掌側のパーツ１Ａと手の甲側のパーツ１Ｂの縫合部分である、前記本革シート１の両端１ｓ，１ｕ同士を、両方の端が同じ方向になるように所謂「合わせ縫い」の形態で縫着するとともに、手袋Ａの人指し指部分Ａ１、中指部分Ａ２、薬指部分Ａ３、小指部分Ａ４同士を、端が同じ方向になるように所謂「合わせ縫い」の形態で縫着する。
そして、前記スカート部１Ｍのフレア部分１ｍの自由端を、前記本革シート１のもう一方の一端の下端部１ｆに所謂「重ね縫い」の形態で縫着する。
【００２１】
前述のような工程を有する製造方法によると、本革シート１へ補強用のパーツ１Ｋを縫着するのをはじめ、縫製作業の多くの部分をシート状の状態のままでおこなうことができるため、熟練者でなくとも、簡単に且つ迅速に縫製することができる。特に、前述のような構成の手袋Ａでは、本革シート１の両端１ｓ，１ｕの縫合が、手首部分から、小指部分と薬指部分の股の部分まで、おこなうだけなので、つまり、縫合部分の長さが略半分（正確には半分以下）になり、しかも所謂「合わせ縫い」の形態でおこなうため、極めて簡単に且つ短時間でおこなうことができる。
【００２２】
ところで、前記実施例にかかる手袋Ａの場合、手袋の本革シート１の両端１ｓ，１ｕの縫合が、つまり、前記手袋の掌側のパーツと手の甲側のパーツの縫合部分が、手袋の手の甲側の小指部分と薬指部分との間に実線Ｌ１で示すように形成されているが、これに代えて、前記縫合部分が、図３に二点鎖線Ｌ２，Ｌ３で示すように、薬指部分と中指部分との間に、あるいは中指部分と人指し指部分との間に形成されていてもよく、あるいは、他の部分、例えば、小指部分、薬指部分、中指部分、人指し指部分のいずれかの部分の幅方向の中央部分に形成されていても、あるいは指長手方向に対して斜め方向に縫合されても、本発明の基本的な作用効果を奏することができることは言うまでもない。
【００２３】
そして、前述のような工程を経て、本実施例にかかるレスキュー用の手袋Ａができあがる。
【００２４】
なお、前記実施例は単なる実施例であって本発明の技術的思想を逸脱しない範囲で、種々の形態で実施できることは言うまでもない。
【産業上の利用可能性】
【００２５】
本発明にかかるレスキュー用の手袋の製造方法および該手袋は、手袋の産業分野において利用することができる。
【符号の説明】
【００２６】
Ａ…手袋
１…本革シート
１Ａ…手袋の掌側のパーツ
１Ｂ…手の甲側のパーツ
１Ｋ…補強用のパーツ
１ｓ，１ｕ…本革シートの両端（掌側のパーツと手の甲側のパーツの縫合部分）
【図１】
2013234393.tif 000003
【図２】
2013234393.tif 000004
【図３】
2013234393.tif 000005
【図４】
2013234393.tif 000006